【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
表面に共有結合を介して両親媒性分子の単分子層を固定したビーズ。
【請求項２】
(1)空気と水により形成される気／水界面、(2)空気と油により形成される気／油界面、または(3)油と水により形成される油／水界面のいずれかの界面に両親媒性分子の単分子膜を形成する工程と、ビーズ捕捉器により単一のビーズを捕捉する工程と、該ビーズを捕捉したビーズ捕捉器先端を該界面と垂直方向に移動させることにより、該ビーズを両親媒性分子の単分子膜と垂直方向に移動させ、該ビーズの表面に両親媒性分子の単分子層を固定する工程とを含むことを特徴とする、表面に両親媒性分子の単分子層を固定したビーズの製造方法。
【請求項３】
請求項２に記載の表面に両親媒性分子の単分子層を固定したビーズの製造方法において、前記該ビーズを捕捉したビーズ捕捉器先端を該界面と垂直方向に移動させることにより、該ビーズを両親媒性分子の単分子膜と垂直方向に移動させ、該ビーズの表面に両親媒性分子の単分子層を固定する工程を複数回繰り返すことにより、該ビーズの表面に両親媒性分子の単分子層を複数層固定することを特徴とする、表面に両親媒性分子の単分子層を固定したビーズの製造方法。
【請求項４】
請求項２または３に記載の表面に両親媒性分子の単分子層を固定したビーズの製造方法において、容器に水を注いで水相を作製し、水よりも比重が大きく親水性部分を表面に持つビーズを容器に入れ、ビーズを水相に沈め、容器内の空気と水相の間に気／水界面を形成し、気／水界面上に親水性部分と疎水性部分を持つ両親媒性分子を滴下し、気／水界面上に両親媒性分子の単分子膜を形成し、ビーズ捕捉器先端を容器の上に移動し、ビーズ捕捉器先端を水相に沈め、水相にある単一のビーズを捕捉し、ビーズ捕捉器先端を上昇させ、単一のビーズを気／水界面まで上昇し、ビーズ表面の親水性部分に含まれる官能基と両親媒性分子の親水性部分に含まれる官能基を共有結合し、ビーズ表面に両親媒性分子の単分子層を形成することを特徴とする、表面に両親媒性分子の単分子層を固定したビーズの製造方法。
【請求項５】
請求項２または３に記載の表面に両親媒性分子の単分子層を固定したビーズの製造方法において、容器に水を注いで水相を作製し、空気と水相により形成される気／水界面上に親水性部分と疎水性部分を持つ両親媒性分子を滴下し、気／水界面上に両親媒性分子の単分子膜を形成し、ビーズ捕捉器先端を、疎水性部分を表面に持つビーズが入っている容器の上に移動し、ビーズ捕捉器先端を降下し、単一のビーズを捕捉し、ビーズ捕捉器先端を上昇させ、単一のビーズを気／水界面を形成した容器の上に移動し、気／水界面上に形成された両親媒性分子の単分子膜の上方から単一のビーズを気／水界面まで下降し、ビーズ表面の疎水性部分に含まれる官能基と両親媒性分子の疎水性部分に含まれる官能基を共有結合させ、単一のビーズの表面に両親媒性分子の単分子層を強固に形成し、該ビーズを捕捉しているビーズ捕捉器先端を再度気／水界面まで上昇し、該ビーズを気／水界面を通過して空気に上昇し、両親媒性分子の第一番目の単分子層上に両親媒性分子の第二番目の単分子層を固定することを特徴とする、表面に両親媒性分子の単分子層を固定したビーズの製造方法。
【請求項６】
請求項２または３に記載の表面に両親媒性分子の単分子層を固定したビーズの製造方法において、容器に油を注いで油相を作製し、油よりも比重が大きく疎水性部分を表面に持つビーズを容器に入れ、ビーズを油相に沈め、容器内の空気と油相により形成される気／油界面上に親水性部分と疎水性部分を持つ両親媒性分子を滴下し、両親媒性分子の単分子膜を形成し、ビーズ捕捉器先端を容器の上に移動し、ビーズ捕捉器先端を油相に沈め、油相にある単一のビーズを捕捉し、ビーズ捕捉器先端を上昇させ、単一のビーズを気／油界面まで上昇させ、ビーズ表面の疎水性部分に含まれる官能基と両親媒性分子の疎水性部分に含まれる官能基を共有結合させ、ビーズ表面に両親媒性分子の単分子層を形成することを特徴とする、表面に両親媒性分子の単分子層を固定したビーズの製造方法。
【請求項７】
請求項２または３に記載の表面に両親媒性分子の単分子層を固定したビーズの製造方法において、容器に油を注いで油相を作製し、空気と油相により形成される気／油界面上に、親水性部分と疎水性部分を持つ両親媒性分子を滴下し、気／油界面上に両親媒性分子の単分子膜を形成し、ビーズ捕捉器先端を、親水性部分を表面に持つビーズが入っている容器の上に移動し、ビーズ捕捉器先端を降下し、単一のビーズを捕捉し、ビーズ捕捉器先端を上昇し、単一のビーズを気／油界面を形成した容器の上に移動し、気／油界面上に形成された両親媒性分子の単分子膜の上方から単一のビーズを気／油界面まで下降させ、ビーズ表面の親水性部分に含まれる官能基と両親媒性分子の親水性部分に含まれる官能基を共有結合させ、単一のビーズの表面に両親媒性分子の単分子層を形成し、該ビーズを捕捉しているビーズ捕捉器先端を再度気／油界面まで上昇し、該ビーズを気／油界面を通過して空気に上昇し、両親媒性分子の第一番目の単分子層上に両親媒性分子の第二番目の単分子層を固定することを特徴とする、表面に両親媒性分子の単分子層を固定したビーズの製造方法。
【請求項８】
請求項２または３に記載の表面に両親媒性分子の単分子層を固定したビーズの製造方法において、容器に水を注いで水相を作製し、水よりも比重が大きく親水性部分を表面に持つビーズを容器に入れ、ビーズを水相に沈め、水相に親水性部分と疎水性部分を持つ両親媒性分子を滴下し、容器に水よりも比重が小さい油を静かに注ぎ、容器の水相の上に油相を作製し、容器内に水相と油相による油／水界面を形成し、該油／水界面上に両親媒性分子の単分子膜を形成し、ビーズ捕捉器先端を容器の上に移動し、ビーズ捕捉器先端を水相まで下降し、水相にある単一のビーズを捕捉し、ビーズ捕捉器先端を上昇し、単一のビーズを油／水界面まで上昇し、ビーズ表面の親水性部分に含まれる官能基と両親媒性分子の親水性部分に含まれる官能基を共有結合し、ビーズ表面に両親媒性分子の単分子層を形成することを特徴とする、表面に両親媒性分子の単分子層を固定したビーズの製造方法。
【請求項９】
請求項２または３に記載の表面に両親媒性分子の単分子層を固定したビーズの製造方法において、容器に水を注いで水相を作製し、水相に親水性部分と疎水性部分を持つ両親媒性分子を滴下し、容器に水よりも比重が小さい油を静かに注ぎ、容器の水相の上に油相を作製し、容器内に水相と油相による油／水界面を形成し、油／水界面上に両親媒性分子の単分子膜を形成し、ビーズ捕捉器先端を、疎水性部分を表面に持つビーズが入っている容器の上に移動し、ビーズ捕捉器先端を降下し、単一のビーズを捕捉し、ビーズ捕捉器先端を上昇し、単一のビーズを油／水界面を形成した容器の上に移動し、油／水界面上に形成された両親媒性分子の単分子膜の上方から単一のビーズを油／水界面まで下降し、ビーズ表面の疎水性部分に含まれる官能基と両親媒性分子の疎水性部分に含まれる官能基を共有結合し、単一のビーズの表面に両親媒性分子の単分子層を形成し、該ビーズを捕捉しているビーズ捕捉器先端を再度油／水界面まで上昇し、該ビーズを油／水界面を通過して油相に上昇し、両親媒性分子の第一番目の単分子層上に両親媒性分子の第二番目の単分子層を固定することを特徴とする、表面に両親媒性分子の単分子層を固定したビーズの製造方法。
【請求項１０】
請求項２または３に記載の表面に両親媒性分子の単分子層を固定したビーズの製造方法において、容器に水より比重の大きい油を注いで油相を作製し、油よりも比重が大きく疎水性部分を表面に持つビーズを容器に入れ、該ビーズを油相に沈め、油相に親水性部分と疎水性部分を持つ両親媒性分子を滴下し、容器に水を静かに注ぎ、容器の油相の上に水相を作製し、容器内の油相と水相により油／水界面を形成し、該油／水界面上に両親媒性分子の単分子膜を形成し、ビーズ捕捉器先端を容器の上に移動し、ビーズ捕捉器先端を油相に沈め、油相にある単一のビーズを捕捉し、ビーズ捕捉器先端を上昇し、該ビーズを油／水界面まで上昇し、ビーズ表面の疎水性部分に含まれる官能基と両親媒性分子の疎水性部分に含まれる官能基を共有結合し、該ビーズの表面に両親媒性分子の単分子層を形成することを特徴とする、表面に両親媒性分子の単分子層を固定したビーズの製造方法。
【請求項１１】
請求項２または３に記載の表面に両親媒性分子の単分子層を固定したビーズの製造方法において、容器に水より比重の大きい油を注いで油相を作製し、油相に親水性部分と疎水性部分を持つ両親媒性分子を滴下し、該容器に水を静かに注ぎ、容器の油相の上に水相を作製し、容器内に油相と水相による油／水界面を形成し、油／水界面上に両親媒性分子の単分子膜を形成し、ビーズ捕捉器先端を、親水性部分を表面に持つビーズが入っている容器の上に移動し、ビーズ捕捉器先端を降下し、単一のビーズを捕捉し、ビーズ捕捉器先端を上昇し、該ビーズを油／水界面を形成した容器の上に移動し、油／水界面上に形成された両親媒性分子の単分子膜の上方から該ビーズを油／水界面まで下降し、ビーズ表面の親水性部分に含まれる官能基と両親媒性分子の親水性部分に含まれる官能基を共有結合し、単一のビーズの表面に両親媒性分子の単分子層を強固に形成し、該ビーズを捕捉しているビーズ捕捉器先端を再度油／水界面まで上昇し、該ビーズを油／水界面を通過して水相に上昇し、両親媒性分子の第一番目の単分子層上に両親媒性分子の第二番目の単分子層を固定することを特徴とする、表面に両親媒性分子の単分子層を固定したビーズの製造方法。
【請求項１２】
請求項１に記載の表面に両親媒性分子を固定したビーズを軟質樹脂に形成したキャピラリ内に配列したキャピラリビーズアレイの製造方法。
【請求項１３】
請求項１２に記載の表面に両親媒性分子を固定したビーズを軟質樹脂に形成したキャピラリ内に配列したキャピラリビーズアレイの製造方法において、ビーズアレイヤのビーズ捕捉器先端に単一のビーズを捕捉し、請求項４乃至１１のいずれかに記載の操作を行い、表面に両親媒性分子の単分子層を複数層固定したビーズを作製し、ビーズアレイヤのビーズ捕捉器先端を軟質樹脂上に形成したキャピラリの導入口まで移動し、ビーズアレイヤのビーズ捕捉器先端から該ビーズをリリースし、該ビーズをキャピラリの導入口に導入し、該キャピラリの排出口側から負圧をかけ該ビーズを導入口側から排出口側に移動し、排出口側のビーズストッパの位置でせき止め、該操作を複数回繰り返し、表面に両親媒性分子の単分子層を複数層固定したビーズを所定の個数並びに順序で配列してキャピラリビーズアレイを作製することを特徴とするキャピラリビーズアレイの製造方法。